(57)【要約】【課題】足元の血行を促進する血行促進ベルトおよびその使用方法を提供する。【解決手段】本体１０と、本体１０にスライド自在に挿通されるスライド環２０とを備え、本体１０は片面の両端部に端部面テープ１１，１２と端部面テープ１１，１２間に配設された中間部面テープ１３とを有し、端部面テープ１１，１２と中間部面テープ１３とは着脱自在に係止され、スライド環２０は本体１０がスライド自在に挿通される孔２１，２２を有してなる血行促進ベルトＢであり、両膝上の太腿部分Ｍを縛って血行を促進する。【選択図】図６
2009254718.tif 000002
【特許請求の範囲】
【請求項１】
本体と、該本体にスライド自在に挿通されるスライド環とを備え、
前記本体は、片面の両端部に端部面テープと、前記端部面テープ間に配設された中間部面テープとを有し、
前記端部面テープと前記中間部面テープとは着脱自在に係止され、
前記スライド環は、本体がスライド自在に挿通される孔を１個または２個有してなる
ことを特徴とする血行促進ベルト。
【請求項２】
本体の幅が、５〜１０センチメートルとされてなることを特徴とする請求項１記載の血行促進ベルト。
【請求項３】
請求項１または請求項２に記載の血行促進ベルトの使用方法であって、
スライド環の孔に本体を挿通させる手順と、
一方の端部面テープと、中間部面テープとを前記スライド環を挟んで係止させて所望長さのベルトとなす手順と、
前記本体の他端部を前記スライド環の孔に挿通し、ついで折り返して両膝上の太腿部分を縛る手順
とを含むことを特徴とする血行促進ベルトの使用方法。
【請求項４】
椅子に座った状態で太腿部分を縛ることを特徴する請求項３記載の血行促進ベルトの使用方法。
【請求項５】
寝た状態で太腿部分を縛ることを特徴とする請求項３記載の血行促進ベルトの使用方法。
【請求項６】
車の運転時に太腿部分を縛ることを特徴する請求項３記載の血行促進ベルトの使用方法。
【請求項７】
両膝の隙間の間隔をこぶしが入る程度とすることを特徴とする請求項６記載の血行促進ベルトの使用方法。
【発明の詳細な説明】
【技術分野】
【０００１】
本発明は血行促進ベルトおよびその使用方法に関する。さらに詳しくは、足元の血行を促進する血行促進ベルトおよびその使用方法に関する。
【背景技術】
【０００２】
現代人の生活では椅子に座っている時間が長くなってきている。この椅子に座っているときの姿勢は、必然的に大腿部を圧迫する。そのため、足元の血行が阻害されることになる。
【０００３】
そして、足元の血行が阻害されると冷え症を招くばかりでなく、種々の慢性疾患をも招来する。
【０００４】
なお、姿勢矯正用ベルトおよび姿勢矯正方法については、特許文献１に提案がなされている。
【特許文献１】特開２００１５−１４３５８６号公報
【発明の開示】
【発明が解決しようとする課題】
【０００５】
本発明はかかる従来技術の課題に鑑みなされたものであって、足元の血行を促進する血行促進ベルトおよびその使用方法を提供することを目的としている。
【課題を解決するための手段】
【０００６】
本発明の血行促進ベルトは、本体と、該本体にスライド自在に挿通されるスライド環とを備え、前記本体は、片面の両端部に端部面テープと、前記端部面テープ間に配設された中間部面テープとを有し、前記端部面テープと前記中間部面テープとは着脱自在に係止され、前記スライド環は、本体がスライド自在に挿通される孔を１個または２個有してなることを特徴とする。
【０００７】
本発明の血行促進ベルトにおいては、本体の幅が、５〜１０センチメートルとされてなるのが好ましい。
【０００８】
一方、本発明の使用方法は、前記血行促進ベルトの使用方法であって、スライド環の孔に本体を挿通させる手順と、一方の端部面テープと、中間部面テープとを前記スライド環を挟んで係止させて所望長さのベルトとなす手順と、前記本体の他端部を前記スライド環の孔に挿通し、ついで折り返して両膝上の太腿部分を縛る手順とを含むことを特徴とする。
【０００９】
本発明の使用方法においては、椅子に座った状態で太腿部分を縛ったり、寝た状態で太腿部分を縛たりしてもよい。
【００１０】
また、本発明の使用方法においては、車の運転時に腿部分を縛ってもよい。その場合、両膝の隙間の間隔をこぶしが入る程度とするのが好ましい。
【発明の効果】
【００１１】
本発明によれば、両脚部の血行が促進されて、血行不良に起因する慢性疾患の予防がなし得るという優れた効果が得られる。
【発明を実施するための最良の形態】
【００１２】
以下、添付図面を参照しながら本発明を実施形態に基づいて説明するが、本発明はかかる実施形態のみに限定されるものではない。
【００１３】
本発明の一実施形態に係る血行促進ベルト（以下、単にベルトという）Ｂを図１に示す。
【００１４】
ベルトＢは、図１に示すように、帯状の本体１０と、本体１０にスライド自在に装着されたスライド環２０とを主要構成要素として備えてなるものとされる。
【００１５】
本体１０は長さが１メートル程度で、幅が５〜１０センチメートル程度の帯とされ、その材質は天然繊維や合成繊維とされる。
【００１６】
また、図２に示すように、本体１０片面の両端部には、明瞭には図示はされていないが、着脱自在な面テープの一方、例えば係止鉤を有する面テープ（以下、端部面テープという）１１，１２が長さ１０センチメートル程度に貼付される一方、両面テープ１１，１２間には、明瞭には図示はされていないが、前記面テープ１１，１２に着脱自在に係止する面テープの他方、例えば係止リングを有する面テープ（以下、中間部面テープ）１３が貼付されている。
【００１７】
スライド環２０は、図３（ａ）に示すように、本体１０がスライド自在に挿通される孔２１，２２を有するめがね環とされる。なお、スライド環２０は、図３（ｂ）に示すように、単孔２３のみを有するものとされてもよい。
【００１８】
次に、図４〜図６を参照しながら、かかる構成とされたベルトＢの椅子に座った状態での使用方法について説明する。
【００１９】
手順１：スライド環２０の一方の孔２１に本体１０を挿通して適宜位置に位置決めする。例えば、一方の端から距離Ｌの位置に位置決めする（図４参照）。
【００２０】
手順２：端部面テープ１１を内側にし、スライド環２０を挟むようにして本体１０の一端部１０ａを折り返す。
【００２１】
手順３：端部面テープ１１と中間部面テープ１３とを係止させる。これにより、所望長さのベルトＢが得られる（図５参照）。つまり、このベルトＢは長さが自在に調節可能な自在ベルトの一種とされる。
【００２２】
手順４：椅子に座った状態で、中間部面テープ１３を外側にして両足の膝上の太腿部分Ｍを縛るようにしてベルトＢ、より具体的には本体１０を巻き付ける。
【００２３】
手順：本体１０の他方の端部１０ｂをスライド環２０の他方の孔２２に挿通して反転させ、太腿を腰幅より狭くなるように締め付ける。
【００２４】
手順：他方の端部面テープ１２と中間部面テープ１３とを係止させて太腿部分Ｍを縛る（図６参照）。
【００２５】
手順：太腿部分ＭをベルトＢで縛った状態を所定時間、例えば１時間ほど維持する。これにより、両足の血行が促進されて足元にぬくもりを感じるようになる。
【００２６】
このように、本実施形態のベルトＢによれば、膝上の太腿部分Ｍを縛るという簡単な作業により脚部の血行が促進される。そのため、血行不良に起因する慢性疾患を予防できる。
【００２７】
以上、本発明を実施形態に基づいて説明してきたが、本発明はかかる実施形態のみに限定されるものではなく、種々改変が可能である。
【００２８】
例えば、実施形態では椅子に座った状態での使用について説明されているが、本発明のベルトＢの使用は椅子に座った状態に限定されず、図７に示すように、寝た状態でも使用できる。
【００２９】
また、自動車を運転しながらも使用できる。その場合、ブレーキ操作などに支障のないよう、図８に示すように、両膝の隙間の間隔Ｗはこぶしが入る程度に調整する。
【００３０】
さらに、長さの調節が自在な自在ベルトとされているので、一種類のベルトで体型の異なる人にも適用できる。
【産業上の利用可能性】
【００３１】
本発明は、健康産業に適用できる。
【図面の簡単な説明】
【００３２】
【図１】本発明の一実施形態に係る血行促進ベルトの概略図である。
【図２】同ベルトの本体の平面図である。
【図３】同ベルトのスライド環の平面図であって、同（ａ）は双孔のものを示し、同（ｂ）は単孔のものを示す。
【図４】同ベルトの使用方法の椅子に座った状態での説明図であって、スライド環を位置決めした状態を示す。
【図５】同ベルトの使用方法の椅子に座った状態での説明図であって、所望長さのベルトとした状態を示す。
【図６】同ベルトの使用方法の椅子に座った状態での説明図であって、ベルトで膝上の太腿部分を縛った状態を示す。
【図７】同ベルトの使用方法の他の例の説明図であって、寝た状態での使用を示す。
【図８】同ベルトの自動車運転時における使用方法の説明図である。
【符号の説明】
【００３３】
１０                  本体
１１，１２            端部面テープ
１３                  中間部面テープ
２０                  スライド環
２１，２２，２３      孔
Ｂ                  血行促進ベルト
【図１】
2009254718.tif 000003
【図２】
2009254718.tif 000004
【図３】
2009254718.tif 000005
【図４】
2009254718.tif 000006
【図５】
2009254718.tif 000007
【図６】
2009254718.tif 000008
【図７】
2009254718.tif 000009
【図８】
2009254718.tif 000010